【事件の表示】
　特願２０１５−２０２４４１号「遊技機」拒絶査定不服審判事件〔平成２９年　４月２０日出願公開、特開２０１７−　７４１３９号〕について、次のとおり審決する。
【結　論】
　本件審判の請求は、成り立たない。
【理　由】
第１　手続の経緯
　本願は、平成２７年１０月１３日の出願であって、平成２９年９月２７日付けで拒絶の理由が通知され、同年１２月１日に意見書及び手続補正書が提出されたところ、平成３０年５月８日付け（送達日：同年同月１５日）で拒絶査定（以下、「原査定」という。）がなされ、それに対して、同年８月７日に拒絶査定不服審判の請求がなされると同時に手続補正がなされたものである。
第２　平成３０年８月７日にされた手続補正についての補正の却下の決定
〔補正の却下の決定の結論〕
　平成３０年８月７日に提出された手続補正書による補正（以下「本件補正」という。）を却下する。
　
〔理由〕
１　本件補正の内容
（１）本件補正は、特許請求の範囲についてする補正を含むものであって、平成２９年１２月１日に提出された手続補正書によって補正された本件補正前の請求項１に、
「
遊技を行うことが可能
　表示を行う表示手段と、
　複数態様の動作が可能な可動部材と、
　前記表示手段の表示領域における前記可動部材に対応した領域に所定画像を表示する所定演出を実行可能な所定演出実行手段
と
　
を
　前記所定演出実行手段は、前記可動部材の動作の態様に応じて異なる態様の所定画像を表示する所定演出を実行可能であり、前記可動部材が動作しているかにかかわらず前記所定演出を実行す
る
　
こ
　
「
遊技者にとって有利な有利状態に制御可能
　表示を行う表示手段と、
　複数態様の動作が可能な可動部材と、
　前記表示手段の表示領域における前記可動部材に対応した領域に所定画像を表示する所定演出を実行可能な所定演出実行手段
と、
　
を
　前記所定演出実行手段は、
　　前記可動部材の動作の態様に応じて異なる態様の所定画像を表示する所定演出を実行可能であり、
　　前記可動部材が動作しているかにかかわらず前記所定演出を実行
し、
　
前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり、
　
前記可動部材が第１パターンで動作する場合よりも、前記可動部材が第２パターンで動作する場合の方が、前記有利状態に制御される期待度が高い
　ことを特徴とする遊技機。」とする補正を含むものである（下線は補正前後の箇所を明示するために合議体が付した。）。
　
（２）本件補正後の請求項１に係る上記（１）の補正は、次の補正事項からなる。
　ア　本件補正前の請求項１に係る発明を特定するために必要な事項である「遊技を行うことが可能な遊技機」を「遊技者にとって有利な有利状態に制御可能な遊技機」とする補正。
　イ　本件補正前の請求項１に係る発明を特定するために必要な事項である「・・・所定演出実行手段とを備え、」を「・・・所定演出実行手段と、を備え、」とする補正。
　ウ　本件補正前の請求項１に係る発明を特定するために必要な事項である「可動部材」に関して、「前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり、　前記可動部材が第１パターンで動作する場合よりも、前記可動部材が第２パターンで動作する場合の方が、前記有利状態に制御される期待度が高い」とする補正。
　
２　本件補正の目的
（１）ア　上記１（２）アの補正は、願書に最初に添付された特許請求の範囲、明細書及び図面の【００６４】等の記載に基づいて、本件補正前の請求項１において記載されていた「遊技機」を単に「遊技を行うことが可能な」ものから「遊技者にとって有利な有利状態に制御可能な」であるものに限定するものである。
　イ　上記１（２）イの補正は、読点を付すべき箇所に読点を挿入するものであり、誤記の訂正である。
　ウ　上記１（２）ウの補正は、願書に最初に添付された特許請求の範囲、明細書及び図面の【０２７０】、【０２７５】ないし【０２７７】、【０２７９】ないし【０２８２】、図３１ないし３３等の記載に基づいて、本件補正前の請求項１において記載されていた「可動部材」が「第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり、」「第１パターンで動作する場合よりも、前記可動部材が第２パターンで動作する場合の方が、前記有利状態に制御される期待度が高い」ものであることに限定するものである。
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、特許法第１７条の２第５項第３号に掲げる誤記の訂正を目的とするものを含むとともに、全体として、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＨは、分説するため合議体が付した。
　
「Ａ　遊技者にとって有利な有利状態に制御可能な遊技機であって、
　Ｂ　表示を行う表示手段と、
　Ｄ　複数態様の動作が可能な可動部材と、
　Ｅ　前記表示手段の表示領域における前記可動部材に対応した領域に所定画像を表示する所定演出を実行可能な所定演出実行手段と、
　を備え、
　前記所定演出実行手段は、
　Ｅ−１　前記可動部材の動作の態様に応じて異なる態様の所定画像を表示する所定演出を実行可能であり、
　Ｅ−３　前記可動部材が動作しているかにかかわらず前記所定演出を実行し、
　Ｆ　前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり、
　Ｇ　前記可動部材が第１パターンで動作する場合よりも、前記可動部材が第２パターンで動作する場合の方が、前記有利状態に制御される期待度が高い
　Ｈ　ことを特徴とする遊技機。」
（２）引用例
　原査定の拒絶の理由に引用文献１として引用され、本願出願前に頒布され又は電気通信回線を通じて公衆に利用可能となった特開２０１１−１３９７６６号公報（平成２３年７月２１日出願公開、以下「引用例」という。）には、遊技機に関し、次の事項が図とともに記載されている（下線は引用発明等の認定に関連する箇所を明示するために合議体が付した。以下同様。）。
　ア　「【技術分野】
【０００１】
　本発明は、遊技用価値を用いて遊技を行うことが可能な遊技機に関する。
　・・・略・・・
【発明が解決しようとする課題】
【０００６】
　上記特許文献１に記載の可動部材及び装飾部材は、長さ寸法が決まっているので、右端部分側を中心とした回動により左端部分を上方位置と下方位置との間で移動させるには、右端部分を左方向に移動可能に支持する必要があるので構造が複雑化するばかりか、右端部分を固定的に支持した場合には、左端部分の通過位置が右端部分を中心とする円弧線上に制限されてしまい、設計の自由度が低減するという問題があった。
【０００７】
　また、可動部材及び装飾部材は回動するものの形態に変化が生じること等はないため、今ひとつ興趣を向上させることができないばかりか、可動部材と装飾部材とをそれぞれ別個の駆動手段により駆動させるため、製造コストが嵩むという問題を有していた。
【０００８】
　本発明は、このような問題点に着目してなされたもので、装飾可動物の可動に伴う演出効果を高めることができる遊技機を提供することを目的とする。」
　
　イ　「【発明を実施するための形態】
【００１６】
　本発明の実施例を図面に基づいて以下に説明する。
【実施例】
【００１７】
　まず、遊技機の一例である
パチンコ遊技機１
　・・・略・・・
【００２０】
　遊技領域７の中央付近には、
液晶表示装置（ＬＣＤ）で構成された演出表示装置９が設けられている
　・・・略・・・
【００２６】
　演出表示装置９は、図３に示すように、遊技盤６に形成された開口部６ａに、表示部９ａを前面側に臨ませるように配設されている。また、演出表示装置９の前面側には、表示部９ａの前面側に
上下方向に移動可能に配置される装飾可動物としての役物２０１
　
　ウ　「【００３４】
　また、図１に示すように、可変入賞球装置１５の下方には、特別可変入賞球装置２０が設けられている。特別可変入賞球装置２０は開閉板を備え、
第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）
　エ　「【００４３】
　遊技盤６の遊技領域７の左右周辺には、遊技中に点滅表示される装飾ＬＥＤ２５が設けられ、下部には、入賞しなかった打球が取り込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられた天枠ＬＥＤ２８ａ、左枠ＬＥＤ２８ｂおよび右枠ＬＥＤ２８ｃが設けられている。また、左枠ＬＥＤ２８ｂの近傍には賞球残数があるときに点灯する賞球ＬＥＤ５１が設けられ、右枠ＬＥＤ２８ｃの近傍には補給球が切れたときに点灯する球切れＬＥＤ５２が設けられている。天枠ＬＥＤ２８ａ、左枠ＬＥＤ２８ｂおよび右枠ＬＥＤ２８ｃおよび装飾用ＬＥＤ２５は、パチンコ遊技機１に設けられている演出用の発光体の一例である。なお、上述した演出用（装飾用）の各種ＬＥＤの他にも演出のためのＬＥＤやランプが設置されている。」
　
　オ　「【００６６】
　また、演出制御用ＣＰＵ（図示略）は、
役物ユニット２００に設けられた昇降モータ８１、開閉モータ８３及び昇降センサ８２、開閉センサ８４
　・・・略・・・
【００７０】
　図４〜図６に示すように、
役物２０１は、本実施例では短刀を模したフィギュアからなり、所定長さに形成された正面視帯状の刀部２１０と、該刀部２１０の右側に設けられる柄部２１１と、刀部２１０を被覆するように配設される鞘部２１２と、から構成される
役物２０１は
回動可能に設けられている
【００７１】
　詳しくは、柄部２１１の右端部は凹部２０３の右下角部近傍に軸支され、昇降モータ８１の駆動により前後方向を向く軸心周りに回動する。鞘部２１２は、左端部が凹部２０３の左辺部に沿って上下方向に移動可能に案内されているとともに、刀部２１０に対して長手方向に相対移動可能に設けられている。よって、
役物２０１全体は長手手方向に伸縮可能に構成されている
　カ　「【０１１３】
　図１１及び図１４（ａ）には、役物２０１が退避位置に位置している状態が示されている。この状態において、移動支持板２８０は、回動支持板２５０に対して縮小した位置に配置され、取付用ボス２６１ａ，２６１ｂ（位置決め用ボス２６２ａ，２６２ｂ）はスライド長孔２８１ａ，２８１ｂの左端部に配置される。また、各リンク片３３０ａ，３３０ｂ、３４０ａ，３４０ｂ、３５０ａ，３５０ｂ、３６０ａ，３６０ｂの軸部材３３１ａ，３３１ｂ、３４１ａ，３４１ｂ、３５１ａ，３５１ｂ、３６１ａ，３６１ｂは、各傾斜溝３１５〜３１８における幅方向の中心位置側の直線部３１５ｂ〜３１８ｂに配置されており、上柄部カバー３８０ａと下柄部カバー３８０ｂ及び上鞘部カバー３９０ａと下鞘部カバー３９０ｂは、互いの対向端辺同士が当接する閉鎖位置に位置している（図１５（ａ）参照）。
【０１１４】
　ここで、昇降モータ８１が駆動して回動支持板２５０が回動軸２２５周りに回動すると、図１２及び図１４（ｂ）に示すように、移動支持板２８０は、回動支持板２５０に対して長手方向（左側）に相対移動し、前面位置に到達したときに、取付用ボス２６１ａ，２６１ｂ（位置決め用ボス２６２ａ，２６２ｂ）はスライド長孔２８１ａ，２８１ｂの右端部に配置される。また、移動支持板２８０の移動に伴い、ガイドレール２９０ａ，２９０ｂも左側に移動する。これにより、
上鞘部カバー３９０ａ及び下鞘部カバー３９０ｂが
左側に移動し、
開閉領域Ｚ３
つまり刀部２１０の基端部（装飾部）が露呈されるため
【０１１５】
　また、このとき各リンク片３５０ａ，３５０ｂ、３６０ａ，３６０ｂは、ガイド凹部２６５，２６６に嵌合されて左右方向の移動が規制されているとともに、軸部材３５１ａ，３５１ｂ、３６１ａ，３６１ｂが各傾斜溝３１７，３１８における幅方向の中心位置側の直線部３１７ｂ，３１８ｂに配置されていることで、各リンク片３５０ａ，３５０ｂ、３６０ａ，３６０ｂに対しガイドレール２９０ａ，２９０ｂのみが左側に相対的に水平移動する。よって、
上柄部カバー３８０ａと下柄部カバー３８０ｂ及び上鞘部カバー３９０ａと下鞘部カバー３９０ｂは、互いの対向端辺同士が当接する閉鎖位置に位置したまま、左側に移動することになる
【０１１６】
　そして、役物２０１が前面位置に位置したときに、開閉モータ８３が駆動してピニオンギヤ２５３が回転すると、図１３及び図１５（ｃ）に示すように、スライド板３１０が回動支持板２５０及び移動支持板２８０に対して長手方向右側に相対移動し、取付用ボス２６１ａ，２６１ｂ（位置決め用ボス２６２ａ，２６２ｂ）はスライド孔３１４ａ，３１４ｂの左端部に配置される。そしてこのスライド板３１０の移動に伴い、各傾斜溝３１５〜３１８が右側に移動することで、ガイド凹部２６５〜２６８に嵌合されて左右方向の移動が規制されている各リンク片３３０ａ，３３０ｂ、３４０ａ，３４０ｂ、３５０ａ，３５０ｂ、３６０ａ，３６０ｂの軸部材３３１ａ，３３１ｂ、３４１ａ，３４１ｂ、３５１ａ，３５１ｂ、３６１ａ，３６１ｂに、傾斜部３１５ａ〜３１８ａが接近してきて該傾斜部３１５ａ〜３１８ａにて軸部材３３１ａ，３３１ｂ、３４１ａ，３４１ｂ、３５１ａ，３５１ｂ、３６１ａ，３６１ｂを幅方向に押し出すため、軸部材は反対側の直線部３１３ｂ〜３１８ｂに配置される。つまり、各リンク片３３０ａ，３３０ｂ、３４０ａ，３４０ｂ、３５０ａ，３５０ｂ、３６０ａ，３６０ｂはガイド凹部２６５〜２６８に嵌合されて左右方向の移動が規制されているため、スライド板３１０の移動により、軸部材３３１ａ，３３１ｂ、３４１ａ，３４１ｂ、３５１ａ，３５１ｂ、３６１ａ，３６１ｂが傾斜部３１５ａ〜３１８ａにより幅方向に移動させられる。
【０１１７】
　このように各軸部材３３１ａ，３３１ｂ、３４１ａ，３４１ｂ、３５１ａ，３５１ｂ、３６１ａ，３６１ｂがスライド板３１０の幅方向の端部側にそれぞれ移動することで、
上柄部カバー３８０ａと下柄部カバー３８０ｂ及び上鞘部カバー３９０ａと下鞘部カバー３９０ｂは、互いの対向端辺同士が離間する開放位置に移動する
刀部２１０及び柄部２１１の幅方向の中央部
が長手方向にわたり帯状に露呈される
　・・・略・・・
【０１２４】
　また、
演出制御用マイクロコンピュータ
は、役物２０１の駆動制御を
演出表示装置９の表示部９ａ
適宜タイミングで行ってもよい
　・・・略・・・
【０１２７】
　また、
演出制御用マイクロコンピュータ（図示略）は
昇降モータ８１や開閉モータ８３の動作量が所定の最大ステップ数を超えても昇降センサ８２や開閉センサ８４からの検出信号が入力されない場合には、所定のリトライ動作を行い、それでも昇降センサ８２や開閉センサ８４からの検出信号が入力されない場合には異常状態と判定する
【０１２８】
　このリトライ動作では、例えば昇降モータ８１を退避動作方向に所定ステップ数、退避動作方向に突出動作方向よりも多い所定ステップ数作動させるようになっている。なお、
異常状態と判定
演出表示装置９により役物２０１と略同様の短刀が動作する動画像を表示して演出を行う
【０１２９】
　以上説明してきたように、本発明の実施例としての役物ユニット２００にあっては、昇降モータ８１の駆動により、移動支持部としての移動支持部材２３０が下限位置から上限位置に移動するのに応じて、第１可動部としての回動支持板２５０が固定支持部としての回動軸２２５の軸心を中心に回動するとともに、第２可動部としての移動支持板２８０が回動支持板２５０に対して離れるように移動することにより、移動支持部材２３０の移動に応じて回動軸２２５の軸心をずらさなくても、移動支持部材２３０を回動軸２２５からの距離及び方向が異なる下限位置と上限位置との間で移動させることができる。よって、構造を複雑化することなく、役物２０１の可動形態を変化させることができるとともに、昇降モータ８１とは別個の駆動手段を用いることなく、移動支持部材２３０の移動に応じて移動支持板２８０が回動支持板２５０に対し離れたり近づいたりすることで装飾部としての刀部２１０の開閉領域Ｚ３が被覆部としての鞘部カバー３９０により開閉されることによって装飾態様に変化を持たせることができるため、興趣を向上させることができる。
【０１３０】
　また、図１５（ｂ）（ｃ）に示すように、役物２０１は、移動支持部材２３０が下限位置に位置したときに表示部９ａから退避する退避位置に配置され、上限位置に位置したときに遊技者の視線が集まる表示部９ａと重畳する前面位置に配置されることで、遊技者が役物２０１を注視しやすくなるため、装飾部の装飾効果が高まるとともに、遊技の興趣が向上する。さらに、移動支持部材２３０が上限位置に位置したときに、
刀部２１０における装飾部としての開閉領域Ｚ３
【０１３１】
　また、図１５（ｂ）（ｃ）に示すように、このように役物２０１が前面位置に配置したときに、
演出制御用マイクロコンピュータ
が役物２０１、特に装飾部を注視させるような背景画像を表示部９ａに表示する制御を行う
【０１３２】
　尚、本実施例では、表示手段の一例として画像を表示可能な液晶表示器からなる演出表示装置９が適用されていたが、遊技に関連する情報（例えば遊技に関連する演出画像や装飾図柄等）を表示可能な表示装置であれば、例えば複数のＬＥＤをマトリックス状に配置した表示器やセグメント表示器等を適用してもよい。」
　キ　「【図１５】
」
　ク　上記カの【０１１４】、【０１１５】、【０１１７】、【０１３０】及び【０１３１】の記載、上記キの役物２０１の外観図を示す図１５（ｂ）及び（ｃ）の記載からみて、
役物２０１が前面位置に配置したときにおいて、上柄部カバー３８０ａと下柄部カバー３８０ｂ及び上鞘部カバー３９０ａと下鞘部カバー３９０ｂは、互いの対向端辺同士が当接する閉鎖位置に位置したまま、上鞘部カバー３９０ａ及び下鞘部カバー３９０ｂが左側に移動したときに
刀部２１０の基端部（装飾部）が露呈される開閉領域Ｚ３を注視させるように表示部９ａに表示されたイフェクト画像のような
第１の背景画像
と、上柄部カバー３８０ａと下柄部カバー３８０ｂ及び上鞘部カバー３９０ａと下鞘部カバー３９０ｂは、互いの対向端辺同士が離間する開放位置に移動し、刀部２１０及び柄部２１１の幅方向の中央部が長手方向にわたり帯状に露呈されたときに、露呈された箇所を注視させるように表示部９ａに表示されたイフェクト画像のような
第２の背景画像
とは、異なる態様の画像である
　ケ　上記アないしクからみて、引用例には、次の発明が記載されている。なお、ａないしｈについては本願補正発明のＡないしＨに対応させて付与し、引用箇所の段落番号等を併記した。
「ａ　第１特別図柄表示器８ａに特定表示結果（大当り図柄）が導出表示されたとき、および第２特別図柄表示器８ｂに特定表示結果（大当り図柄）が導出表示されたときに特定遊技状態（大当り遊技状態）が生起するパチンコ遊技機１（【００１７】、【００３４】）であって、
　ｂ　液晶表示装置（ＬＣＤ）で構成された演出表示装置９（【００２０】）と、
　ｄ　回動可能又は長手方向に伸縮可能である役物２０１（【００７０】、【００７１】）と、
　ｅ　役物２０１、特に装飾部としての開閉領域Ｚ３を注視させるような背景画像を演出表示装置９の表示部９ａに表示する制御を行う演出制御用マイクロコンピュータ（【０１２４】、【０１３１】、上記ク）と、
　が設けられ、
　前記演出制御用マイクロコンピュータは、
　ｅ−１、ｆ　役物２０１が前面位置に配置したときにおいて、上柄部カバー３８０ａと下柄部カバー３８０ｂ及び上鞘部カバー３９０ａと下鞘部カバー３９０ｂは、互いの対向端辺同士が当接する閉鎖位置に位置したまま、上鞘部カバー３９０ａ及び下鞘部カバー３９０ｂが左側に移動したときに、刀部２１０の基端部（装飾部）が露呈される開閉領域Ｚ３を注視させるように表示部９ａに表示されたイフェクト画像のような第１の背景画像と、上柄部カバー３８０ａと下柄部カバー３８０ｂ及び上鞘部カバー３９０ａと下鞘部カバー３９０ｂは、互いの対向端辺同士が離間する開放位置に移動し、刀部２１０及び柄部２１１の幅方向の中央部が長手方向にわたり帯状に露呈されたときに、露呈された箇所を注視させるように表示部９ａに表示されたイフェクト画像のような該第１の背景画像と異なる態様である第２の背景画像を表示するように制御し（【０１２４】、【０１３１】、上記ク）、
　ｅ−３　昇降モータ８１、開閉モータ８３及び昇降センサ８２、開閉センサ８４が設けられた役物ユニット２００において、昇降モータ８１や開閉モータ８３の動作量が所定の最大ステップ数を超えても昇降センサ８２や開閉センサ８４からの検出信号が入力されない場合には、所定のリトライ動作を行い、それでも昇降センサ８２や開閉センサ８４からの検出信号が入力されない場合には、異常状態と判定し、演出表示装置９により役物２０１と略同様の短刀が動作する動画像を表示して演出を行う（【００６６】、【０１２７】、【０１２８】）、
　ｈ　パチンコ遊技機１（【００１７】）。」（以下「引用発明」という。）
（３）周知例
　ア　原査定の拒絶の理由に引用文献２として引用され、本願出願前に電気通信回線を通じて公衆に利用可能となった特開２０１５−９７７０４号公報（以下「周知例１」という。）には、次の事項が図とともに記載されている。
　（ア）「【技術分野】
【０００１】
　本発明は、
パチンコ遊技機等の遊技機
　（イ）「【０２２３】
　図１７は、演出表示装置９と可動表示装置９６とにおける相対位置の位置関係および画像表示例を示す正面図である。図１７（ａ）には、非動作モード時における可動表示装置９６が遊技領域７の内部に収納された状態と、当該状態での演出表示装置９の表示例とが示されている。図１７（ｂ）には、動作モード時における可動表示装置９６が遊技領域７の外部に出現して演出表示装置９の前に重なった動作時の状態と、当該状態での表示例とが示されている。図１７（ｃ）には、動作モード時における可動表示装置９６が遊技領域７の外部に出現して演出表示装置９の前に重なった動作時における演出表示装置９側の表示例（可動表示装置９６は図示省略）が示されている。
　・・・略・・・
【０２４３】
　図１７（ｃ）に示すように、可動表示装置９６の動作モードで、可動表示装置９６が演出表示装置９の前に重なる重複位置関係となる出現位置に出現している状態において、
演出表示装置９では、可動表示装置９６で表示される対応表示領域９６０および対応表示画像６１ｂのような特定画像と同様の画像を、当該重複位置で特別画像として表示させる制御が行なわれる
【０２４４】
　
このような可動表示装置９６で実行される画像表示と同様の画像表示を演出表示装置９において実行する制御は、可動表示装置９６が故障等の動作の不具合により演出表示装置９の前に可動表示装置９６が重なる重複位置関係とならない異常状態となっているか否かに関わらず、可動表示装置９６の動作モードにおいて常に実行される
【０２４５】
　可動表示装置９６の動作モードにおいて、可動表示装置９６側で実行される対応表示演出と同様の対応表示演出が演出表示装置９の側で実行されることにより、可動表示装置９６における故障等の動作の不具合により、演出表示装置９の前に可動表示装置９６が重なる重複位置関係とならない異常状態が生じたときでも、パチンコ遊技機１においては、これら２つの表示装置を用いた対応表示演出と同様の対応表示演出を行なうことができる。」
　イ　原査定の拒絶の理由に引用文献３として引用され、本願出願前に頒布され又は電気通信回線を通じて公衆に利用可能となった特開２０１４−６４８１９号公報（以下「周知例２」という。）には、次の事項が図とともに記載されている。
　（ア）「【発明を実施するための形態】
【０００９】
　以下、本発明の実施形態について、添付図面を参照して説明する。まず、図１〜図４１を参照し、第１実施形態として、本発明を
パチンコ遊技機
【００１０】
　図１は、第１実施形態におけるパチンコ機１０の正面図であり、図２及び図３はパチンコ機１０の遊技盤１３の正面図であり、図４はパチンコ機１０の背面図である。なお、図２は、
パチンコ機１０の可変表示装置ユニット８０に設けた第１役物８７
　（イ）「【０２６３】
　ここで、図１１（ａ）を参照して、第１役物８７が動作中に第３図柄表示装置８１に表示される画像を説明する。図１１（ａ）は、第１役物８７が動作中に第３図柄表示装置８１に表示される画像を示す図である。
【０２６４】
　表示制御装置１１４では、第１役物８７の動作開始を指示する役物動作開始コマンドを音声ランプ制御装置１１３に対して出力した場合、その
第１役物８７の動作を遊技者に対して効果的に目立たせるために、センターフレーム８６から下降した第１役物８７の周辺を光らせた画像８１ａを第３図柄表示装置８１に表示させる
【０２６５】
　音声ランプ制御装置１１３では、第２役物８８の動作中に第１役物８７の動作開始を指示する役物動作開始コマンドを受信した場合、上述した通り、動作干渉判定処理によって、第１役物８７の動作開始を指示する役物動作開始コマンドの動作を非実行としたが、ノイズ等の影響やプラグラム上の誤り等によって誤って受信されたのが、先に送受信された第２役物８８の動作開始を指示する役物動作開始コマンドであることもあり得る。つまり、この場合、第１役物８７の動作開始を指示する役物動作開始コマンドが、表示制御装置１１４から音声ランプ制御装置１１３に対して正規に出力されたものであることも十分にあり得る。
【０２６６】
　ところが、音声ランプ制御装置１１３の動作干渉処理によって、第１役物８７の動作開始を指示する役物動作開始コマンドが無視され、第１役物８７が非動作とされた場合、この第１役物８７の動作開始を指示する役物動作開始コマンドが正規のコマンドであれば、第１役物８７が下降しないにもかかわらず、本来下降されるはずの第１役物８７の周辺を光らせた画像８１ａだけが第３図柄表示装置８１に表示されることとなる。よって、第３図柄表示装置８１を注視しながら遊技を行っている遊技者に対して、意味のない画像を見せることになり、遊技に対する興趣を削ぐ結果となるおそれがあった。
【０２６７】
　これに対し、表示制御装置１１３は、役物動作非実行コマンドを受信すると、その役物動作非実行コマンドにより示された可動役物と動作態様とに従って、実際には非実行とされた可動役物が非実行とされた動作態様で動作する画像を、元々表示される画像にかぶせる形で第３図柄表示装置８１に表示させる。この例を図１１（ｂ）に示す。図１１（ｂ）は、音声ランプ制御装置１１３から表示制御装置１１４に対して、第１役物８７が非実行とされたことを示す役物動作非実行コマンドが送信された場合に、第３図柄表示装置８１に表示される画像を示す図である。
【０２６８】
　図１１（ｂ）で示した例では、音声ランプ制御装置１１３から表示制御装置１１４に対して、第１役物８７が非実行とされたことを示す役物動作非実行コマンドが送信されると、表示制御装置１１４は、その役物動作非実行コマンドにより示される第１役物８７が、その役物動作非実行コマンドにより示される動作態様で動作する画像８１ｂを、その第１役物８７の周辺を光らせた画像８１ａにかぶせた形で表示する。これにより、
第１役物８７が実際に動作されなくても、第３図柄表示装置８１を注視しながら遊技を行っている遊技者に対して、第１役物８７がセンターフレーム８６から下降して、その周辺を光らせながら、回転動作する画像を見せる
　ウ　原査定の拒絶の理由に引用文献４として引用され、本願出願前に頒布され又は電気通信回線を通じて公衆に利用可能となった特開２００７−２０２６３９号公報（以下「周知例３」という。）には、次の事項が図とともに記載されている。
　（ア）「【技術分野】
【０００１】
　本発明は、
パチンコ機等の遊技機
　（イ）「【００２０】
　また、図４、図７及び図８に示すように、裏側装飾部材４７は、開口部１１１の右下角部の外側に、透明な合成樹脂製でほぼ左手の握り拳に形成された可動物１１２が、後述のようにステッピングモータで構成される可動物用モータ６９を介してこの開口部１１１の対角線上に沿って液晶表示器５２の前面部に進退可能に設けられている（図９参照）。尚、図６に示すように、この可動物用モータ６９は、可動物１１２の背面側に配設されている。
　また、開口部１１１の右下角部の外側には、原点位置に位置する可動物１１２の下側に回路基板１１３が設けられている。この回路基板１１３には、フルカラーの発光ダイオードで構成される８個の各可動物ＬＥＤ６８が、開口部１１１の対角線上に沿って２列に４個ずつ配設されている。これにより、各可動物ＬＥＤ６８が所定の色に発光した場合には、可動物１１２は、その色で発光することとなる。尚、可動物ＬＥＤ６８は、回路基板１１３に４個ずつ２列で８個配設したが、もっと多く配設するようにしてもよい。」
　（ウ）「【０１３０】
　その後、図３４（Ｅ１）に示すように、３列の各第１・第２・第３図柄の変動表示を開始してから時間Ｔ４秒経過した場合には、サブ統合制御基板２８０のＣＰＵ２８１は、駆動回路７２を介して各可動物ＬＥＤ６８を所定の色（例えば、赤色や青色である。）に点灯駆動して、透明な合成樹脂製でほぼ左手の握り拳に形成された可動物１１２を所定の色に発光させる。
　また、
可動物１１２を作動させる駆動機構が故障していない場合には、
該可動物１１２の先端部分が、液晶表示器５２に表示される右列の仮停止図柄「６」に重なる位置まで移動させる
所定の色に発光した可動物１１２を表す映像可動物１２１を、遊技者側から見て移動する可動物１１２に重なるように液晶表示器５２に表示する
　これにより、透明な可動物１１２の各可動物ＬＥＤ６８から離れて発光しなくなった部分が、液晶表示器５２に表示される映像可動物１２１に重なって移動するため、透明な可動物１１２は全体として、所定の色に発光した状態で、該可動物１１２の先端部分が、液晶表示器５２に表示される右列の仮停止図柄「６」に重なる位置まで移動して、仮停止図柄「６」を破壊するように見せることが可能となる。
【０１３１】
　一方、図３４（Ｅ２）に示すように、
可動物１１２を作動させる駆動機構が故障した場合には、可動物１１２は、原点位置で所定の色に発光する。また、
所定の色に発光した可動物１１２を表す映像可動物１２１を、可動物１１２が動く予定だった移動経路上に重なるように液晶表示器５２に表示する
　これにより、可動物１１２を作動させる駆動機構が故障した場合でも、映像可動物１２１が仮停止図柄「６」をパンチで破壊するように見せることが可能となる。」
　
　エ　上記アないしウからみて、
「パチンコ遊技機において、可動部材が動作しているかどうかにかかわらず、表示手段の表示領域における前記可動部材に対応した領域に該可動部材に関連した画像を表示すること。」は本願出願前に周知（以下「周知技術１」という。）であると認められる。
　オ　本願出願前に頒布され又は電気通信回線を通じて公衆に利用可能となった特開２００３−１０２９６３号公報（以下「周知例４」という。）には、次の事項が図とともに記載されている。
　（ア）「【０００１】
【発明の属する技術分野】本発明は、識別情報の可変表示を行って表示結果を導出する可変表示装置を備え、前記表示結果が予め定めた特定表示態様となったことを条件として所定の遊技価値を付与可能となる
遊技機
【０００２】
【従来の技術】従来、一般に、可変表示装置を備えた遊技機としての例である弾球遊技機は、可変表示装置で図柄（識別情報）を可変表示（これを変動ともいう）し、その表示結果が予め定めた大当り図柄（特定表示態様）となったことを条件に、特定遊技状態を発生（所定の遊技価値を付与）するようになっていた。また、このような弾球遊技機には、可変表示装置の外周部分を装飾する装飾部材に可動演出装置を設け、該可動演出装置の動作を可変表示装置におけるリーチ表示態様の予告動作として行うものが提案されていた。
【０００３】
【発明が解決しようとする課題】ところが、上記従来の可動演出装置は、その動作態様が一様に設定され、予告動作を行うか否かの単純なものであった。本発明は、上記した事情に鑑みなされたもので、その目的とするところは、
可動演出手段（可動演出装置）の動作態様と動作タイミングとを複数種類設定すると共にその種類に応じて期待度を異ならせる
【０００４】
【課題を解決するための手段】上記目的を達成するために、請求項１の発明においては、識別情報の可変表示を行って表示結果を導出する可変表示装置を備え、前記表示結果が予め定めた特定表示態様となったことを条件として所定の遊技価値を付与可能となる遊技機において、遊技者が動作を視認可能な箇所に設けられ、遊技の演出に用いられる可動演出手段を備え、前記可動演出手段は、前記可変表示装置の表示態様が所定の表示態様となることを予告報知する予告報知動作を実行可能であり、前記予告報知動作は、前記識別情報の可変表示の実行タイミングに対して複数の動作タイミングのうちより選択した動作タイミングから動作を開始することが可能であると共に、動作が異なる複数種類が設けられ、前記予告報知動作は、前記可変表示装置の表示態様が前記所定の表示態様となる場合と前記可変表示装置の表示態様が前記所定の表示態様とならない場合のいずれの場合にも実行され得ると共に、前記予告報知動作が実行された後に前記可変表示装置の表示態様が前記所定の表示態様となる期待度を、前記動作タイミングに対応して複数設定し、また前記期待度を前記予告報知動作の種類に対応して複数設定したことを特徴とする。このように構成することにより、可動演出手段の動作態様の種類及び動作タイミングに応じて期待度を異ならせることができるので、可動演出手段による予告を多様化することができ、ひいては遊技の興趣向上を招来することができる。
　・・・略・・・
【００１４】また、請求項１１の発明においては、
前記複数の動作タイミングにおいては、前記可変表示装置の表示態様が前記所定の表示態様が導出され得るタイミングに近づくにつれて、前記可変表示装置の表示態様が前記所定の表示態様となる期待度を高くした
　（イ）「【００７５】また、
上記した実施形態（第一実施形態）では、基本動作（予告態様１）に対する発展型として発展動作（予告態様２）を１種類設定しているが、発展動作を複数種類設定することで、発展の内容をより多彩に設定してもよい
【００７６】これにより、図２１（Ｂ）に示すように、怪獣の顔を模した可動部材２１は、下あご部分２１ｂを上下方向に動かす動作（怪獣が口を開け閉めして、あたかも吼えるような動作）を行い、人形形状の可動部材３７，３８は、小刻みな左右方向への揺れ動作とゆっくりした左右方向への揺れ動作との組合せを継続的に行う。そして、可動部材２１，３７，３８の動きが一旦停止した後、図２１（Ｃ）に示すように、可動部材２１のみが下あご部分２１ｂを一定時間（予告態様２よりも短い時間）下方向に動かす動作（怪獣が口を大きく開けかけて閉めるような動作）を行う。即ち、第四実施形態では、発展動作において基本動作の後に付帯する動作態様を異ならせることで、予告態様２とは違う予告態様２’を追加設定して複数種類の発展動作を設けている。なお、
基本動作の後に付帯する動作態様を同一にする一方で付帯するタイミングを異ならせることで別の種類の発展動作を設定してもよい
その種類毎で予告の信頼度を異ならせるようにしてもよい
　カ　本願出願前に頒布され又は電気通信回線を通じて公衆に利用可能となった特開２００３−１２６４４４号公報（以下「周知例５」という。）には、次の事項が図とともに記載されている。
　（ア）「【０００１】
【発明の属する技術分野】本発明は、
パチンコ遊技機
　（イ）「【０１０７】なお、
予告態様４としては、特別可変表示部９の更新開始に関連するタイミングで予告態様の動作が開始する例を示したが、その代わりに、予告態様４として、特別可変表示部９において大当りの表示結果が導出表示されるタイミングに関連するタイミングで予告報知のための動作（センター可動部材１０、サイド可動部材１８を用いた動作）を行なうようにしてもよい
特別変表示部９の表示結果が大当りとなるタイミングに近づくにつれて、特別変表示部９の表示態様が予告報知通り（大当り）となる期待度（信頼度）が高くなるように複数の予告態様の設定を行なう
　・・・略・・・
【０１１１】なお、
予告態様２については、基本動作として、更新表示が行なわれるに際して前述した予告態様１と同様の態様でサイド可動部材１８およびセンター可動部材１０が動作される
【０１１２】なお、リーチ状態の発生を報知する文字の表示に合わせて行なわれるセンター可動部材１０の動作は、リーチ状態の発生を報知する文字の表示の直前、表示と同時、表示の直後のうちのどのタイミングであってもよい。つまり、そのような動作は、リーチ状態の発生を報知する文字の表示に合わせて行なわれる（表示と関連付けられる）動作となればよい。
【０１１３】また、リーチ状態の発生を報知する文字の表示に合わせて行なわれる可動部材の動作としては、センター可動部材１０の動作にサイド可動部材１８の動作を加えてもよい。
【０１１４】また、前述したような「リーチ」という文字を表示する場合には、そのような文字の表示だけでなく、キャラクタ等のその他の画像を特別可変表示部９に表示するようにしてもよい。そのようにすれば、演出をより多様化できる。
【０１１５】また、
以上に示した予告態様２に加えて、基本動作から発展する発展動作について、発展タイミングを予告態様２よりも所定時間遅らせた別の予告態様を設けてもよい
　キ　本願出願前に頒布され又は電気通信回線を通じて公衆に利用可能となった特開２００３−１３５７３１号公報（以下「周知例６」という。）には、次の事項が図とともに記載されている。
　（ア）「【０００１】
【発明の属する技術分野】本発明は、
パチンコ遊技機
　（イ）「【００９９】なお、
予告態様４としては、特別可変表示部９の更新開始に関連するタイミングで予告態様の動作が開始する例を示したが、その代わりに、予告態様４として、特別可変表示部９において大当りの表示結果が導出表示されるタイミングに関連するタイミングで予告報知のための動作（センター可動部材１０、サイド可動部材１８を用いた動作）を行なうようにしてもよい
特別変表示部９の表示結果が大当りとなるタイミングに近づくにつれて、特別変表示部９の表示態様が予告報知通り（大当り）となる期待度（信頼度）が高くなるように複数の予告態様の設定を行なう
　・・・略・・・
【０１０４】なお、
予告態様２については、基本動作として、更新表示が行なわれるに際して前述した予告態様１と同様の態様でサイド可動部材１８およびセンター可動部材１０が動作される
【０１０５】なお、リーチ状態の発生を報知する文字の表示に合わせて行なわれるセンター可動部材１０の動作は、リーチ状態の発生を報知する文字の表示の直前、表示と同時、表示の直後のうちのどのタイミングであってもよい。つまり、そのような動作は、リーチ状態の発生を報知する文字の表示に合わせて行なわれる（表示と関連付けられる）動作となればよい。
【０１０６】また、リーチ状態の発生を報知する文字の表示に合わせて行なわれる可動部材の動作としては、センター可動部材１０の動作にサイド可動部材１８の動作を加えてもよい。
【０１０７】また、前述したような「リーチ」という文字を表示する場合には、そのような文字の表示だけでなく、キャラクタ等のその他の画像を特別可変表示部９に表示するようにしてもよい。そのようにすれば、演出をより多様化できる。
【０１０８】また、
以上に示した予告態様２に加えて、基本動作から発展する発展動作について、発展タイミングを予告態様２よりも所定時間遅らせた別の予告態様を設けてもよい
　ク　本願出願前に電気通信回線を通じて公衆に利用可能となった特開２０１５−１３９５６９号公報（以下「周知例７」という。）には、次の事項が図とともに記載されている。
　（ア）「【技術分野】
【０００１】
　本発明は、所定数を上限に始動記憶を記憶可能な
遊技機
　（イ）「【０２２３】
　〔先読み演出〕
　ところで、上限を超えて始動記憶が発生した場合に、記憶されている始動記憶に関する先読み予告表示を行う遊技機が知られている・・・。しかしながら、始動記憶に関連した演出における遊技の興趣をさらに高める余地があった。
【０２２４】
　そこで、図２９を参照して、遊技の興趣を高めることが可能な先読み演出について説明する。図２９は、本実施形態の先読み演出について説明する図である。
　・・・略・・・
【０２３４】
　また、図２９（Ｅ）に示すように、
予め変動時間に対して可動役物２７０の可動を許可する許可ポイントＡ〜Ｃが設定されているので、可動役物２７０は、変動時間が許可ポイントＡ〜Ｃとなったときに可動して表示画面３１の前方に出現することになる
【０２３５】
　なお、
可動役物２７０の出現回数が３回に満たない場合は、許可ポイントＡ〜Ｃの何れかのポイントで可動役物２７０は可動する。このとき、選択される許可ポイントが変動開始から時間が経過しているほど、変動結果の期待度が高くなる
　
　ケ　上記オないしクからみて、
「遊技機において、可動部材は、第１のタイミングにおいて動作する場合と、前記第１のタイミングよりも後の第２のタイミングにおいて動作を行う場合とがあり、前記可動部材が第１のタイミングで動作する場合よりも、前記可動部材が第２のタイミングで動作する場合の方が、大当りの期待度が高いこと。」は本願出願前に周知（以下「周知技術２」という。）である。
（４）対比
　ア　本願補正発明と引用発明とを対比する。なお、以下の見出し（ａ）ないし（ｈ）は、本願補正発明のＡないしＨに対応させている。
　（ａ）（ｈ）引用発明の「特定遊技状態（大当り遊技状態）」及び「パチンコ遊技機１」は、それぞれ本願補正発明の「遊技者にとって有利な有利状態」及び「遊技機」に相当する。引用発明のパチンコ機１において、特定遊技状態（大当り遊技状態）が生起することは、特定遊技状態（有利状態）に制御可能であることといえるから、引用発明の特定事項ａは、本願補正発明の「遊技者にとって有利な有利状態に制御可能な遊技機」に相当する。
　（ｂ）引用発明の「ｂ　液晶表示装置（ＬＣＤ）で構成された演出表示装置９」は、本願補正発明の「Ｂ　表示を行う表示手段」に相当する。
　（ｄ）引用発明の「ｄ　回動可能又は長手方向に伸縮可能である役物２０１」は、本願補正発明の「Ｄ　複数態様の動作が可能な可動部材」に相当する。
　（ｅ）引用発明の「背景画像」は、役物２０１（可動部材）、特に装飾部としての開閉領域Ｚ３を注視させるように、演出表示装置９（表示手段）の表示部９ａに表示されるところ、注視させるために役物２０１に対応した領域に表示されるものといえるから、本願補正発明の「所定画像」に相当するものといえる。また、引用発明の「演出制御用マイクロコンピュータ」は、背景画像（所定画像）を表示する制御を行い、背景演出を表示する演出を実行しているともいえるから、本願補正発明の「所定演出実行手段」に相当する。そうすると、引用発明の特定事項ｅは、本願補正発明の「Ｅ　前記表示手段の表示領域における前記可動部材に対応した領域に所定画像を表示する所定演出を実行可能な所定演出実行手段」を備えるといえる。
　（ｅ−１）引用発明において、前記演出制御用マイクロコンピュータ（所定演出実行手段）は、役物２０１が前面位置に配置したときにおいて、上柄部カバー３８０ａと下柄部カバー３８０ｂ及び上鞘部カバー３９０ａと下鞘部カバー３９０ｂは、互いの対向端辺同士が当接する閉鎖位置に位置したまま、上鞘部カバー３９０ａ及び下鞘部カバー３９０ｂが左側に移動したときに、刀部２１０の基端部（装飾部）が露呈される開閉領域Ｚ３を注視させるように表示部９ａに表示されたイフェクト画像のような第１の背景画像と、上柄部カバー３８０ａと下柄部カバー３８０ｂ及び上鞘部カバー３９０ａと下鞘部カバー３９０ｂは、互いの対向端辺同士が離間する開放位置に移動し、刀部２１０及び柄部２１１の幅方向の中央部が長手方向にわたり帯状に露呈されたときに、露呈された箇所を注視させるように表示部９ａに表示されたイフェクト画像のような第２の背景画像を表示するものであるところ、役物２０１（可動部材）の鞘部及び柄部の動作の態様に応じて、相互に異なる第１の背景画像（所定画像）と第２の背景画像を表示するものである。してみると、引用発明の特定事項ｅ−１、ｆは、本願補正発明の「Ｅ−１　前記可動部材の動作の態様に応じて異なる態様の所定画像を表示する所定演出を実行可能である」との構成を備えるといえる。
　（ｆ）引用発明は、役物２０１が前面位置に配置したときにおいて、上柄部カバー３８０ａと下柄部カバー３８０ｂ及び上鞘部カバー３９０ａと下鞘部カバー３９０ｂは、互いの対向端辺同士が当接する閉鎖位置に位置したまま、上鞘部カバー３９０ａ及び下鞘部カバー３９０ｂが左側に移動する第１動作を行った後、上柄部カバー３８０ａと下柄部カバー３８０ｂ及び上鞘部カバー３９０ａと下鞘部カバー３９０ｂは、互いの対向端辺同士が離間する開放位置に移動し、刀部２１０及び柄部２１１の幅方向の中央部が長手方向にわたり帯状に露呈される第２動作を行うものである。そうすると、引用発明の特定事項ｅ−１、ｆと、本願補正発明の「Ｆ　前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり」とは、「Ｆ’　前記可動部材は、第１動作を行った後の所定タイミングにおいて第２動作を行う」点で一致する。
　
　イ　上記アからみて、本願補正発明と引用発明とは、
「Ａ　遊技者にとって有利な有利状態に制御可能な遊技機であって、
　Ｂ　表示を行う表示手段と、
　Ｄ　複数態様の動作が可能な可動部材と、
　Ｅ　前記表示手段の表示領域における前記可動部材に対応した領域に所定画像を表示する所定演出を実行可能な所定演出実行手段と、
　を備え、
　前記所定演出実行手段は、
　Ｅ−１　前記可動部材の動作の態様に応じて異なる態様の所定画像を表示する所定演出を実行可能である、
　Ｆ’　前記可動部材は、第１動作を行った後の所定タイミングにおいて第２動作を行う、
　Ｈ　遊技機。」である点で一致し、次の点で相違する。
　・相違点１（特定事項Ｅ−３）
　所定演出に関し、
　本願補正発明では、「前記可動部材が動作しているかにかかわらず前記所定演出を実行」するものであるに対し、
　引用発明では、そのような特定がない点。
　・相違点２（特定事項Ｆ、Ｇ）
　可動部材に関し、
　本願補正発明では、「前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり」、「前記可動部材が第１パターンで動作する場合よりも、前記可動部材が第２パターンで動作する場合の方が、前記有利状態に制御される期待度が高い」のに対し、
　引用発明では、そのような特定がない点。
（５）判断
　ア　相違点１について検討する。
　（ア）引用発明は、役物２０１が異常状態と判定された場合でも、演出表示装置９により役物２０１と略同様の短刀が動作する動画像を表示して演出を行うものである。そうすると、引用発明における役物２０１の異常状態において、装飾部として開閉領域Ｚ３を注視させる背景画像についても、短刀の画像とともに表示することは引用例に明示的記載がなくとも自明であり、役物２０１（可動部材）が動作するか否かにかかわらず、背景画像（所定画像）を表示する演出（所定演出）を実行するといえるから、相違点１は実質的な相違点とはいえない。
　（イ）仮に相違点１が実質的な相違点であるとしても、上記（３）エで、周知技術１として示したように、パチンコ遊技機において、可動部材が動作しているかどうかにかかわらず、表示手段の表示領域における前記可動部材に対応した領域に該可動部材に関連した画像を表示することは周知であり、当該周知技術１を考慮すれば、引用発明において、役物２０１が動作しない異常状態かどうかにかかわらず、背景画像（所定画像）を表示するようになすこと、すなわち、上記相違点１に係る本願補正発明の特定事項のようになすことは当業者が周知技術１に基づいて適宜なし得たことである。
　イ　相違点２について検討する。
　（ア）上記（３）ケで、周知技術２として示したように、遊技機において、可動部材は、第１のタイミングにおいて動作する場合と、前記第１のタイミングよりも後の第２のタイミングにおいて動作を行う場合とがあり、前記可動部材が第１のタイミングで動作する場合よりも、前記可動部材が第２のタイミングで動作する場合の方が、大当りの期待度を高くする構成は周知である。
　（イ）引用発明と周知技術２とは、所定のタイミングで可動部材を動作させる遊技機という点で技術分野が共通するものであるから、当業者であれば引用発明とともに周知技術２も心得ているものである。そうすると、周知技術２を引用発明に適用することは当業者が適宜なし得たことである。
　そして、引用発明の構成を具体的に検討すると、引用発明は、役物２０１が前面位置に配置したときにおいて、上柄部カバー３８０ａと下柄部カバー３８０ｂ及び上鞘部カバー３９０ａと下鞘部カバー３９０ｂは、互いの対向端辺同士が当接する閉鎖位置に位置したまま、上鞘部カバー３９０ａ及び下鞘部カバー３９０ｂが左側に移動する第１動作を行った後、上柄部カバー３８０ａと下柄部カバー３８０ｂ及び上鞘部カバー３９０ａと下鞘部カバー３９０ｂは、互いの対向端辺同士が離間する開放位置に移動し、刀部２１０及び柄部２１１の幅方向の中央部が長手方向にわたり帯状に露呈される第２動作を行うものである。要するに、引用発明は、可動部材が、第１動作を行った後の所定タイミングにおいて第２動作を行うものである。
　（ウ）そうしてみると、周知技術２を心得た当業者であれば、引用発明において、第２動作を行うタイミングを１つのタイミングだけでなく、複数のタイミングのうちいずれかのタイミングで実施しようと試みるものである。このように第２動作を複数のタイミングでいずれかで実施する場合に、基本的なタイミングで実施する基本動作パターンに加え、該基本的なタイミングより後の特定タイミングで第２動作を実施する別の動作パターンを設けるとともに、該別の動作パターンが実施された場合に大当りの期待度を高くなるようにすることは周知技術２に基づけば当業者にとって格別困難なことではない。
　（エ）以上のとおりであるから、引用発明において、上記相違点２に係る本願補正発明の構成となすことは当業者が周知技術２に基づいて適宜なし得たことである。
　（オ）なお、周知例４ないし６（上記（３）オないしキ）に記載されているように、可動演出装置の動作に関し、基本動作（第１動作）の後に付帯する発展動作（第２動作）のタイミングを複数設け、そのタイミング毎に予告の信頼度を異ならせることも周知であるといえ、当該周知の事項に基づいても当業者は本願補正発明に容易に想到するものである。
　ウ　本願補正発明の奏する効果は、引用発明の奏する効果、周知技術１及び２の奏する効果から、予測することができた程度のものである。
　エ　審判請求人の主張について
　（ア）審判請求人は、審判請求書の【請求の理由】４（２）において、以下のとおり概略主張している。
「いずれの引用文献にも、本願請求項１に係る発明の下記の構成が記載されていない。 
　「前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり、前記可動部材が第１パターンで動作する場合よりも、前記可動部材が第２パターンで動作する場合の方が、前記有利状態に制御される期待度が高い」 」
　（イ）上記イで説示したとおり、周知例４ないし７に記載されているような周知技術に基づけば、引用発明において、審判請求人が主張する上記の構成となすことは当業者が容易になし得たものであるから、審判請求人の主張を採用することはできない。
　
（６）独立特許要件のむすび
　以上のとおりであるから、本願補正発明は、当業者が、引用例に記載された発明、周知技術１及び周知技術２に基いて、容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明（以下「本願発明」という。）は、平成２９年１２月１日に提出された手続補正書により補正された特許請求の範囲の請求項１に記載された事項によって特定されるものであるところ、請求項１に係る発明は、上記第２〔理由〕１（１）に本件補正前の請求項１として記載したとおりのものである。
　
２　原査定の拒絶の理由の概要
　原査定の拒絶の理由は、この出願の平成２９年１２月１日に提出された手続補正書により補正された請求項１に係る発明が、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものである。
　　　　　　　　　　　　　　　　　記
　引用文献１．特開２０１１−１３９７６６号公報
　引用文献２．特開２０１５−９７７０４号公報
　引用文献３．特開２０１４−６４８１９号公報
　引用文献４．特開２００７−２０２６３９号公報
　本願の請求項１に係る発明は、引用文献１に記載された発明及び周知技術に基いて、当業者が容易に発明することができたものである。
　
３　引用例
（１）引用例（引用文献１）及び周知例１ないし３（引用文献２ないし４）の記載事項は、上記第２〔理由〕３（２）及び（３）に記載したとおりである。
　
４　対比・判断
　本願発明（上記第２〔理由〕１（１））は、本願補正発明（上記第２〔理由〕３（１））から、実質的に、「Ｆ　前記可動部材は、第１動作を行った後の所定タイミングにおいて第２動作を行う第１パターンで動作する場合と、前記第１動作を行った後の前記所定タイミングよりも後の特定タイミングにおいて前記第２動作を行う第２パターンで動作する場合と、があり」、「Ｇ　前記可動部材が第１パターンで動作する場合よりも、前記可動部材が第２パターンで動作する場合の方が、前記有利状態に制御される期待度が高い」（上記相違点２）に係る限定事項を削除したものである。
　そうすると、本願発明と引用発明とは、上記相違点１で相違するから、本願発明も上記（５）アで示した理由と同様の理由により、当業者が、引用例に記載された発明及び周知技術１に基いて、容易に発明をすることができたものである。
　
第４　むすび
　本願発明は、以上のとおり、当業者が、引用例に記載された発明及び周知技術１に基いて、容易に発明をすることができたものであるから、特許法第２９条第２項の規定により特許を受けることができない。
　したがって、本願は、他の請求項について検討するまでもなく、拒絶すべきものである。
　よって、結論のとおり審決する。